(57)【特許請求の範囲】
【請求項１】
屋根の軒先側に鼻隠しが設けられ、この鼻隠しと建物の外壁との間が軒天井によって覆われ、この軒天井の先端と前記鼻隠しの下端との間に通気用隙間が設けられた軒先換気構造において、
前記鼻隠しの下面および前記軒天井の先端部の下面が化粧部材によって覆われており、
この化粧部材が、前記鼻隠しに取り付けられ、かつ鉛直な第１鉛直壁部を有する第１化粧部材と、前記軒天井の先端部の下面を覆い、かつ前記第１鉛直壁部と平行離間する鉛直な第２鉛直壁部を有する第２化粧部材とを備え、
前記第１鉛直壁部と第２鉛直壁部との間に下方に開口する空気導入用隙間が少なくともその上端部を前記通気用隙間に配置されて設けられ、
前記第２鉛直壁部に、前記通気用隙間と前記空気導入用隙間とを連通する連通穴が形成されており、
前記第１化粧部材は、前記鼻隠しの屋外側を向く側面を覆って当該側面に固定された外側壁部と、この外側壁部から下方に延出する断面凹形の延出部とを備え、この延出部の屋外側の壁部が前記外側壁部の延長上に形成され、前記延出部の屋内側の壁部が前記第１鉛直壁部とされ、
前記第２化粧部材は、前記鼻隠しの屋内側を向く下端部側面を覆って当該側面に固定された内側壁部と、この内側壁部の下方延長上に形成された前記第２鉛直壁部と、この第２鉛直壁部の下端に形成され、前記軒天井の先端部と前記第２鉛直壁部との間の隙間および前記軒天井の先端部下面を覆う覆い部とを備えていることを特徴とする軒先換気構造。
【請求項２】
請求項１に記載の軒先換気構造において、
前記第１化粧部材の第１鉛直壁部の上端に固定部が形成され、
この固定部が前記鼻隠しの下面に固定されていることを特徴とする軒先換気構造。
【請求項３】
請求項１または２に記載の軒先換気構造において、
前記第１鉛直壁部と第２鉛直壁部との少なくともいずれか一方に、火災時に発泡して前記空気導入用隙間を塞ぐ防火発泡材が設けられていることを特徴とする軒先換気構造。
【請求項４】
請求項１〜３のいずれか一項に記載の軒先換気構造において、
前記第２鉛直壁部の下端は、前記第１鉛直壁部の下端より上方に位置していることを特徴とする軒先換気構造。
【発明の詳細な説明】
【技術分野】
【０００１】
本発明は、住宅等の建物の軒先換気構造に関する。
【背景技術】
【０００２】
住宅等の建物の屋根の換気を行える軒先換気構造の一例として特許文献１に記載のものが知られている。
この軒先換気構造は、屋根パネルの軒先側に鼻隠し板が配置され、この鼻隠し板と、この鼻隠し板よりも屋内側に配置されている外壁との間が軒天井にて覆われ、この軒天井の屋外側先端と前記鼻隠し板の下端の間に通気用隙間が設けられている軒先換気構造において、前記鼻隠し板および軒天井の表面が金属製の化粧板にて覆われ、この化粧板は鼻隠し板の表面を覆う第一の化粧板と、軒天井表面を覆う第二の化粧板とに分割され、この第一の化粧板と第二の化粧板とが同一材質のものであり、この両化粧板の端部同士が第二の化粧板を上にしてオーバーラップするとともに、両化粧板の端部間に前記通気用隙間に連通する第二の通気用隙間が形成されていることを特徴としている。
【先行技術文献】
【特許文献】
【０００３】
【特許文献１】特許第３９６７９２５号公報
【発明の概要】
【発明が解決しようとする課題】
【０００４】
ところで、上記従来の軒先換気構造では、第一の化粧板と第二の化粧板との端部同士が第二の化粧板を上にしてオーバーラップするとともに、両化粧板の端部間に通気用隙間に連通する第二の通気用隙間が形成されているが、この第二の通気用隙間の近傍に位置する第一の化粧板が水平となっているので、第二の通気用隙間を通り抜けた埃や虫等が水平な化粧板に滞留し易い。かかる場合、滞留した埃や虫等によって第二の通気用隙間が目詰まりして、その結果換気性能が低下するおそれがあった。換気性能が低下した場合、第二の通気用隙間やその近傍を清掃する必要があるのでその清掃作業に手間がかかる。
【０００５】
本発明は上記事情に鑑みてなされたもので、換気性能の低下を防止できる軒先換気構造を提供することを課題としている。
【課題を解決するための手段】
【０００６】
上記課題を解決するために、請求項１に記載の発明は、例えば図１〜図３に示すように、屋根１の軒先側に鼻隠し４が設けられ、この鼻隠し４と建物の外壁１０との間が軒天井１５によって覆われ、この軒天井１５の先端と前記鼻隠し４の下端との間に通気用隙間２０が設けられた軒先換気構造において、
前記鼻隠し４の下面および前記軒天井１５の先端部の下面が化粧部材２１によって覆われており、
この化粧部材２１が、前記鼻隠し４に取り付けられ、かつ鉛直な第１鉛直壁部２２ａを有する第１化粧部材２２と、前記軒天井１５の先端部の下面を覆い、かつ前記第１鉛直壁部２２ａと平行離間する鉛直な第２鉛直壁部２３ａを有する第２化粧部材２３とを備え、
前記第１鉛直壁部２２ａと第２鉛直壁部２３ａとの間に下方に開口する空気導入用隙間３０が少なくともその上端部を前記通気用隙間２０に配置されて設けられ、
前記第２鉛直壁部２３ａに、前記通気用隙間２０と前記空気導入用隙間３０とを連通する連通穴３２が形成されており、
前記第１化粧部材２２は、前記鼻隠し４の屋外側を向く側面を覆って当該側面に固定された外側壁部２２ｂと、この外側壁部２２ｂから下方に延出する断面凹形の延出部２２ｃとを備え、この延出部２２ｃの屋外側の壁部が前記外側壁部２２ｂの延長上に形成され、前記延出部２２ｃの屋内側の壁部が前記第１鉛直壁部２２ａとされ、
前記第２化粧部材２３は、前記鼻隠し４の屋内側を向く下端部側面を覆って当該側面に固定された内側壁部２３ｂと、この内側壁部２３ｂの下方延長上に形成された前記第２鉛直壁部２３ａと、この第２鉛直壁部２３ａの下端に形成され、前記軒天井１５の先端部と前記第２鉛直壁部２３ａとの間の隙間および前記軒天井１５の先端部下面を覆う覆い部２３ｃとを備えていることを特徴とする。
【０００７】
請求項１に記載の発明によれば、空気導入用隙間３０が鉛直な第１鉛直壁部２２ａと第２鉛直壁部２３ａとの間に設けられているので、この空気導入用隙間３０には埃や虫等が滞留し難い。したがって、通気用隙間２０と空気導入用隙間３０とを連通する連通穴３２に目詰まりが生じ難くなるので、換気性能の低下を防止できる。
【０００９】
また、第１化粧部材２２の外側壁部２２ｂが鼻隠し４の屋外側を向く側面を覆って当該側面に固定されているので、第１化粧部材２２を鼻隠し４に安定的に固定でき、さらに、外側壁部２２ｂから下方に延出する断面凹形の延出部２２ｃの屋内側の壁部が第１鉛直壁部２２ａとされているので、第１鉛直壁部２２ａを鼻隠し４の下側に容易に配置できる。
また、第２化粧部材２３の内側壁部２３ｂが鼻隠し４の屋内側を向く下端部側面を覆って当該側面に固定されているので、第２化粧部材２３を鼻隠し４に安定的に固定でき、さらに、この内側壁部２３ｂの下方延長上に第２鉛直壁部２３ａが形成されているので、第２鉛直壁部２３ａを第１鉛直壁部２２ａに対して容易に平行離間して配置できる。
また、第２鉛直壁部２３ａの下端に形成された覆い部２３ｃによって、軒天井１５の先端部と第２鉛直壁部２３ａとの間の隙間および軒天井１５の先端部下面を確実に覆うことができる。
さらに、第１化粧部材２２を取り外すことなく、第２化粧部材２３および軒天井１５を取り外して交換できるので、交換作業が容易となる。
【００１０】
請求項２に記載の発明は、請求項１に記載の軒先換気構造において、
前記第１化粧部材２２の第１鉛直壁部２２ａの上端に固定部２２ｄが形成され、
この固定部２２ｄが前記鼻隠し４の下面に固定されていることを特徴とする。
【００１１】
請求項２に記載の発明によれば、第１鉛直壁部２２ａの上端に形成された固定部２２ｄが鼻隠し４の下面に固定されているので、第１鉛直壁部２２ａを鼻隠し４の下面に確実に固定でき、第１鉛直壁部２２ａが風等によってばたついたり、膨れることがない。
【００１２】
請求項３に記載の発明は、請求項１または２に記載の軒先換気構造において、
前記第１鉛直壁部２２ａと第２鉛直壁部２３ａとの少なくともいずれか一方に、火災時に発泡して前記空気導入用隙間３０を塞ぐ防火発泡材３３が設けられていることを特徴とする。
【００１３】
請求項３に記載の発明によれば、火災時において、防火発泡材３３が発泡して、空気導入用隙間３０を塞ぐので、空気導入用隙間３０からの延焼を防止できる。
また、防火発泡材３３が外部から見え難いので、外観性に優れたものとなる。
【００１４】
請求項４に記載の発明は、請求項１〜３のいずれか一項に記載の軒先換気構造において、
前記第２鉛直壁部２３ａの下端は、前記第１鉛直壁部２２ａの下端より上方に位置していることを特徴とする。
【００１５】
請求項４に記載の発明によれば、第２鉛直壁部２３ａの下端が、第１鉛直壁部２２ａの下端より上方に位置しているので、下方から吹きあがる風（空気）Ｋが第２鉛直壁部２３ａの下端と、第１鉛直壁部２２ａの下端との間から斜めに空気導入用隙間３０に入ったうえで、第１鉛直壁部２２ａで反射して第２鉛直壁部２３ａに向かうので、この空気を第２鉛直壁部２３ａに形成された連通穴３２に容易に導くことができる。
【発明の効果】
【００１６】
本発明によれば、空気導入用隙間は鉛直な第１鉛直壁部と第２鉛直壁部との間に設けられているので、この空気導入用隙間には埃や虫等が滞留し難い。したがって、通気用隙間と空気導入用隙間とを連通する連通穴に目詰まりが生じ難くなるので、換気性能の低下を防止できる。
【図面の簡単な説明】
【００１７】
【図１】本発明に係る軒先換気構造の一例を示すもので、屋根の軒先部を示す側断面図である。
【図２】同、屋根と建物の外壁との取合い部を示す側断面である。
【図３】同、図１におけるＸ円部の拡大図である。
【発明を実施するための形態】
【００１８】
以下、図面を参照して本発明に係る軒先換気構造の一例について説明する。
図１は屋根の軒先部を示す側断面図であり、図１において符号１は屋根を示す。屋根１は複数の屋根パネルを接合することによって構成されており、屋根１の野地板２の上面には、屋根瓦３が取り付けられている。
屋根１の軒先には鼻隠し４が垂木５の先端面に固定されて設けられている。この鼻隠し４は木製の帯板状の鼻隠し板４ａ，４ｂを上下に接合することによって構成されており、当該鼻隠し４は、上側の鼻隠し板４ａに下側の鼻隠し板４ｂを接合することによって、屋根１の下面より下方に延出している。なお、下側の鼻隠し板４ｂは上側の鼻隠し板４ａより厚く形成され、これら鼻隠し板４ａの屋外側を向く側面は面一となっている。
上側の鼻隠し板４ａには、軒樋６が鼻隠し板４ａと平行に固定されている。一方、野地板２の先端上面には軒先水切り７が取り付けられており、この軒先水切り７は軒樋６に向けて延出しており、その先端は軒樋６の内側に位置している。
【００１９】
図２は屋根１と建物の外壁との取合い部を示す側断面である。なお、図２では屋根瓦は省略してある。図２において符号１０は建物の外壁を示す。この外壁１０は建物躯体に胴縁１１を介して建物躯体と所定の間隔をもって取り付けられている。建物躯体は、鉄骨製の柱、上梁、下梁等を直方体状に組み立ててなる建物ユニットを複数連結することによって構成されている。
建物躯体上の部に設けられた建物ユニットを構成する上梁１２の上面には、支持フレーム１３が取り付けられている。一方、上梁１２の上方には前記屋根１が配置されており、この屋根１の下面、すなわち垂木５の下面が前記支持フレーム１３に固定されて、当該支持フレーム１３によって下方から支持されている。
【００２０】
図１および図２に示すように、前記鼻隠し４と外壁１０との間は、屋根１の傾斜方向と平行に傾斜している軒天井１５によって覆われている。この軒天井１５は板状の軒天板材によって形成されており、当該軒天井１５の裏側（上面側）には野縁１６，１６が設けられている。野縁１６，１６は軒天井１５の先端部と基端部とに配置されており、この野縁１６，１６に釘やビス等の止着材１７によって軒天井１５が固定されている。なお、野縁１６，１６は例えば図示しない吊木等によって屋根１の垂木５によって吊持されている。
また、図２に示すように、軒天井１５の基端部側に位置する野縁１６には、軒天受け金具１８が取り付けられている。この軒天受け金具１８は凹溝部１８ａを有しており、この凹溝部１８ａに軒天井１５の基端部が挿入されている。
【００２１】
前記軒天井１５は、屋根１の下方に当該屋根１から所定距離離間して配置されるとともに、屋根１と平行に傾斜している。
図３に示すように、軒天井１５の先端と鼻隠し４の下側の鼻隠し板４ｂの下端との間には、通気用隙間２０が設けられている。この通気用隙間２０を通った空気は屋根１と軒天井１５との間に空間に流入し、屋根１の棟部から流出し、これによって換気がなされるようになっている。
また、鼻隠し４の下面（下側の鼻隠し板４ｂの下面）および軒天井１５の先端部の下面は金属製の板で形成された化粧部材２１によって覆われている。
【００２２】
この化粧部材２１は、鼻隠し４に取り付けられ、かつ鉛直な第１鉛直壁部２２ａを有する第１化粧部材２２と、軒天井１５の先端部の下面を覆い、かつ第１鉛直壁部２２ａと平行離間する鉛直な第２鉛直壁部２３ａを有する第２化粧部材２３とを備えている。また、第２鉛直壁部２３ａの下端は第１鉛直壁部２２ａの下端より上方に位置している。
前記第１化粧部材２２は、鼻隠し４の屋外側を向く側面を覆って当該側面に固定された外側壁部２２ｂと、この外側壁部２２ｂから下方に延出して、全体として鼻隠し４の下方に配置された断面凹形の延出部２２ｃとを備えている。そして、この延出部２２ｃの屋外側の壁部が前記外側壁部２２ｂの延長上に、当該外側壁部２２ｂと一体的に形成され、前記延出部２２ｃの屋内側の壁部が前記第１鉛直壁部２２ａとされている。
前記第２化粧部材２３は、前記鼻隠し４の屋内側を向く下端部側面を覆って当該側面に固定された内側壁部２３ｂと、この内側壁部２３ｂの下方延長上に形成された前記第２鉛直壁部２３ａと、この第２鉛直壁部２３ａの下端に形成され、前記軒天井１５の先端部と第２鉛直壁部２３ａとの間の隙間および軒天井１５の先端部を覆う覆い部２３ｃとを備えている。この覆い部２３ｃは第２鉛直壁部２２ａの下端から斜め上方に延出するように形成されており、その先端部は上側に折り曲げられて、軒天井１５の先端部下面に当接または近接されている。
【００２３】
前記第１化粧部材２２の第１鉛直壁部２２ａの上端には固定部２２ｄが第１鉛直壁部２２ａに対して直角に形成されており、この固定部２２ｄが鼻隠し４の下面にビス２５によって固定されている。また、第１化粧部材２２の外側壁部２２ｂはビス２６によって鼻隠し４の屋外側を向く側面に固定されている。外側壁部２２ｂは、図１に示すように、上側の鼻隠し板４ａの上端近傍まで延出しており、前記軒樋６を固定しているビスによっても鼻隠し板４ａの屋外側を向く側面に固定されている。
また、前記第２化粧部材２３の第２鉛直壁部２３ａから上方に延出している内側壁部２３ｂは鼻隠し４の屋内側を向く側面にビス２７によって固定されている。
【００２４】
前記第１鉛直壁部２２ａと第２鉛直壁部２３ａとの間には、下方に開口する空気導入用隙間３０がその上端部を通気用隙間２０に配置されて設けられている。この通気用隙間２０は、断面視下向きのコ字形の溝状に形成されており、その上部が前記固定部２２ｄによって構成され、対向する両壁面が前記第１鉛直壁部２２ａと第２鉛直壁部２３ａとによって構成されている。
また、第２鉛直壁部２３ａの上端部には、通気用隙間２０と空気導入用隙間３０とを連通する連通穴３２が複数形成されている。本実施の形態では、上下に所定間隔で離間した３つの連通穴３２がそれぞれ第２鉛直壁部２３ａの長手方向（図３において紙面と直交する方向）に所定間隔で複数形成されている。
また、第２鉛直壁部２３ａの第１鉛直壁部２２ａと対向する壁面には、凹所が第２鉛直壁部２３ａの長手方向（図３において紙面と直交する方向）に延在して設けられており、この凹所に火災時に発泡して空気導入用隙間３０の入口近傍を塞ぐ防火発泡材３３が設けられている。防火発泡材３３は、例えばグラファイト系材料からなり、約２００度以上に熱せられると発泡し、例えば２〜３ｍｍ厚のもので約１５〜２０倍に膨張する。防火発泡材３３は凹所に嵌まっており、これよって、第２鉛直壁部２３ａから落下しにくい構造となっている。
【００２５】
本実施の形態によれば、空気導入用隙間３０が鉛直な第１鉛直壁部２２ａと第２鉛直壁部２３ａとの間に設けられているので、この空気導入用隙間３０には埃や虫等が滞留し難い。したがって、通気用隙間２０と空気導入用隙間３０とを連通する連通穴３２に目詰まりが生じ難くなるので、換気性能の低下を防止できる。
また、第１鉛直壁部２２ａの上端に形成された固定部２２ｄが鼻隠し４の下面に固定され、第２鉛直壁部２３ａの上方延長上に形成された内側壁部２３ｂが鼻隠しの屋内側を向く側面に固定されているので、第１鉛直壁部２２ａと第２鉛直壁部２３ａとを確実に固定でき、その結果、第１鉛直壁部２２ａと第２鉛直壁部２３ａとの間の空気導入用隙間３０の幅を確実に確保できる。
また、固定部２２ｄが鼻隠し４の下面に固定されているので、第１鉛直壁部２２ａが風等によってばたついたり、膨れることがない。そしてこれによって、火災時の防火発泡材３３との密着性が良好となる。
【００２６】
さらに、第１化粧部材２２の外側壁部２２ｂが鼻隠し４の屋外側を向く側面を覆って当該側面に固定されているので、第１化粧部材２２を鼻隠し４に安定的に固定でき、さらに、外側壁部２２ｂから下方に延出する断面凹形の延出部２２ｃの屋内側の壁部が第１鉛直壁部２２ａとされているので、第１鉛直壁部２２ａを鼻隠し４の下側に容易に配置できる。
また、第２化粧部材２３の内側壁部２３ｂが鼻隠し４の屋内側を向く下端部側面を覆って当該側面に固定されているので、第２化粧部材２３を鼻隠し４に安定的に固定でき、さらに、この内側壁部２３ｂの下方延長上に第２鉛直壁部２３ａが形成されているので、第２鉛直壁部２３ａを第１鉛直壁部２２ａに対して容易に平行離間して配置できる。また、第２鉛直壁部２３ａの下端に形成された覆い部２３ｃによって、軒天井１５の先端部と第２鉛直壁部２３ａとの間の隙間および軒天井１５の先端部下面を確実に覆うことができる。
また、第１化粧部材２２を取り外すことなく、第２化粧部材２３および軒天井１５を取り外して交換できるので、交換作業が容易となる。
【００２７】
また、第２鉛直壁部２３ａの下端が、第１鉛直壁部２２ａの下端より上方に位置しているので、下方から吹きあがる風（空気）Ｋが第２鉛直壁部２３ａの下端と、第１鉛直壁部２２ａの下端との間から斜めに空気導入用隙間３０に入ったうえで、第１鉛直壁部２２ａで反射して第２鉛直壁部２３ａに向かうので、この空気を第２鉛直壁部２３ａに形成された連通穴３２に容易に導くことができる。
また、第２鉛直壁部２３ａに、火災時に発泡して空気導入用隙間３０を塞ぐ防火発泡材３３が設けられているので、火災時において、防火発泡材３３が発泡して、空気導入用隙間３０を塞ぐので、空気導入用隙間３０からの延焼を防止できる。また、防火発泡材３３が外部から見え難いので、外観性に優れたものとなる。
【００２８】
なお、本実施の形態では、軒天井１５が斜めに傾斜したものを例にとって説明したが、本発明では、軒天井は水平に配置されたものであってもよい。その場合、第２化粧部材２３の覆い部２３ｃを水平に設ければよい。
【符号の説明】
【００２９】
１  屋根
４  鼻隠し
１０  外壁
１５  軒天井
２０  通気用隙間
２１  化粧部材
２２  第１化粧部材
２２ａ  第１鉛直壁部
２２ｂ  外側壁部
２２ｃ  延出部
２２ｄ  固定部
２３  第２化粧部材
２３ａ  第２鉛直壁部
２３ｂ  内側壁部
２３ｃ  覆い部
３０  空気導入用隙間
３２  連通穴
３３  防火発泡材
【図１】
0005872812.tif 000002
【図２】
0005872812.tif 000003
【図３】
0005872812.tif 000004